(57)【要約】【課題】検知部に封水形成部からの水が付着することにより検知部が汚れることを抑制することができ、これにより検知部の検知の信頼性を向上させることができる排水システムを提供する。【解決手段】本発明の排水システムは水受け部の下流側に設けられると共に封水を形成する封水形成部８と、封水形成部に水を供給するキッチン用水栓装置６と、水の供給流路に設けられ且つ供給装置からの水の供給を検知する流量センサ２０と、封水形成部内の水に超音波を発振する超音波発振器２２と、超音波発振器の発振を制御する制御装置２４と、を備え流量センサ２０は、封水形成部８から水が流れ込まないように縁切りされた位置に配置される。【選択図】図２
2020051041.tif 000002
【特許請求の範囲】
【請求項１】
水を排水する排水システムであって、
水受け部の下流側に設けられると共に封水を形成する封水形成部と、
上記封水形成部に水を供給する供給装置と、
水の供給流路に設けられ且つ上記供給装置からの水の供給を検知する検知部と、
上記封水形成部内の水に超音波を発振する超音波発振器と、
上記超音波発振器の発振を制御する制御装置と、を備え、
上記検知部は、上記封水形成部から水が流れ込まないように縁切りされた位置に配置されることを特徴とする排水システム。
【請求項２】
上記検知部は、単位時間あたりの水の流量を検知する流量センサである、請求項１に記載の排水システム。
【請求項３】
上記制御装置は、上記検知部による吐水される水の検知開始から検知状態のまま所定時間経過した場合に、上記超音波発振器による発振を開始させる、請求項１又は２に記載の排水システム。
【請求項４】
上記制御装置は、上記検知部による吐水される水の検知開始から所定水量以上の水が吐水される場合に、上記超音波発振器による発振を開始させる、請求項１乃至３の何れか１項に記載の排水システム。
【請求項５】
上記供給装置は、湯と水とを混合する湯水混合部を備え、
上記検知部は、上記供給装置の上記湯水混合部よりも下流側に設けられる、請求項１乃至４の何れか１項に記載の排水システム。
【発明の詳細な説明】
【技術分野】
【０００１】
本発明は、排水システムに係り、特に、水を排水する排水システムに関する。
【背景技術】
【０００２】
従来、特許文献１に示すように、シンクの底面に設けられ且つ超音波発信器を備えている排水システムが知られている。この排水システムにおいては、使用者が排水システムの排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【先行技術文献】
【特許文献】
【０００３】
【特許文献１】特開２００４−３２４１０８号公報
【発明の概要】
【発明が解決しようとする課題】
【０００４】
特許文献１に示すような従来の排水システムにおいては、使用者が操作部のスイッチを入操作して排水部への給水を開始させると、給水路内の水位が排水部の上端部近傍まで上昇する。このとき給水路の縦管部に設けられた水位センサがその水位を検出し、給水を停止させる。これにより、所定の水位にまで上昇させた排水部に対して、超音波洗浄を行うことができる。
しかし、このような排水システムでは、本来洗浄の対象とする排水部の汚れが、水位センサの設置される空間にも流入する構造であるため、排水部の汚れがそのまま水位センサに付着しやすく、これにより水位センサの検知の信頼性が低下するという問題があった。
さらに、水位センサの検知の信頼性が低下することにより、本来動作すべきタイミングで超音波発振器が超音波を発振しない、あるいは本来動作すべきでないタイミングで超音波発振器が超音波を発振する超音波発振器の誤作動の問題が生じる。前者の場合には、本来の洗浄機能が発揮されない一方で、後者の場合には超音波を過剰に発振することにより超音波発振器の耐久性が低下してしまう。
【０００５】
そこで、本発明は、上述した課題を解決するためになされたものであり、検知部に封水形成部からの水が付着することにより検知部が汚れることを抑制することができ、これにより検知部の検知の信頼性を向上させることができる排水システムを提供することを目的としている。
【課題を解決するための手段】
【０００６】
上述した課題を解決するために、本発明は、水を排水する排水システムであって、水受け部の下流側に設けられると共に封水を形成する封水形成部と、上記封水形成部に水を供給する供給装置と、水の供給流路に設けられ且つ上記供給装置からの水の供給を検知する検知部と、上記封水形成部内の水に超音波を発振する超音波発振器と、上記超音波発振器の発振を制御する制御装置と、を備え、上記検知部は、上記封水形成部から水が流れ込まないように縁切りされた位置に配置されることを特徴としている。
このように構成された本発明においては、検知部は、上記封水形成部から水が流れ込まないように縁切りされた位置に配置される。これにより、検知部に封水形成部からの水が付着することにより検知部が汚れることを抑制することができ、これにより検知部の検知の信頼性を向上させることができる。
【０００７】
本発明において、好ましくは、上記検知部は、単位時間あたりの水の流量を検知する流量センサである。
このように構成された本発明においては、検知部は、単位時間あたりの水の流量を検知する流量センサであるので、封水形成部に供給される水の流量を検知して、超音波発振器を作動することができる。よって、供給される水の流量が低い場合に超音波発振器の無駄な発振を抑制することができると共に、比較的シンプルな構成により供給装置からの水の供給を検知することができる。
【０００８】
本発明において、好ましくは、上記制御装置は、上記検知部による吐水される水の検知開始から検知状態のまま所定時間経過した場合に、上記超音波発振器による発振を開始させる。
本発明の発明者らは、鋭意研究することにより、排水システムにおいて、洗浄性能を向上させるため、超音波発振器を少しでも効果的に長い時間にわたって作動させること、及び、超音波発振器の耐久性を向上させるため、超音波発振器の作動時間をできるだけ短く抑制することを両立させることを検討した。
このように構成された本発明においては、検知部は、封水形成部から水が流れ込まないように縁切りされた位置に配置されるので、供給装置から供給された水が封水形成部に到達するまでに時間差ができる。検知部の検知後すぐに超音波発振器を作動させたとしても、時間差中に供給装置からの吐水が終了すると、汚れを排水することができないままとなり、超音波洗浄を実行したにも関わらず汚れが封水形成部に再付着し、超音波洗浄性能が低下するおそれがある。本発明によれば、超音波発振器の無駄な発振作動を防ぎ、洗浄性能の向上と超音波発振器の耐久性の向上とを両立させることができる。
【０００９】
本発明において、好ましくは、上記制御装置は、上記検知部による吐水される水の検知開始から所定水量以上の水が吐水される場合に、上記超音波発振器による発振を開始させる。
このように構成された本発明においては、制御装置は、検知部による吐水される水の検知開始から所定水量以上の水が吐水される場合に、上記超音波発振器による発振を開始させるので、供給される水の水量が所定水量未満であることにより、超音波洗浄を行って落とした汚れが、封水形成部から排出されにくく、封水形成部内に再付着し、超音波洗浄性能が低下することを抑制することができる。また、洗浄性能が比較的低い状態で洗浄を行ってしまうことにより超音波発振器を無駄に作動させ超音波発振器の耐久性を低下させることを抑制することができる。
【００１０】
本発明において、好ましくは、上記供給装置は、湯と水とを混合する湯水混合部を備え、上記検知部は、上記供給装置の上記湯水混合部よりも下流側に設けられる。
このように構成された本発明においては、検知部は、供給装置の湯水混合部よりも下流側に設けられる。これにより、検知部は、湯水混合部よりも下流側の封水形成部に供給される流量を比較的正確に検出することができる。よって、超音波発振器の発振を適切に行い、超音波発振器の無駄な発振を抑制して、超音波発振器の耐久性を向上させることができる。
【発明の効果】
【００１１】
本発明の排水システムによれば、汚れた封水形成部からの水が検知部に付着することを抑制することができ、検知部の検知の信頼性を向上させることができる。
【図面の簡単な説明】
【００１２】
【図１】本発明の第１実施形態による排水システムを正面から見た正面図である。
【図２】図１のＩＩ−ＩＩ線に沿って見た断面図である。
【図３】本発明の第１実施形態による排水システムの構造を概略的に示すブロック図である。
【図４】本発明の第１実施形態による排水システムにおける制御内容を示すフローチャートである。
【図５】本発明の第２実施形態による排水システムを備えた浴室の斜視図である。
【図６】図５のＶＩ−ＶＩ線に沿って見た浴室の床面近傍部分の部分拡大断面図である。
【図７】本発明の第３実施形態による排水システムを備えた浴室の斜視図である。
【図８】図７のＶＩＩＩ−ＶＩＩＩ線に沿って見た浴室の浴槽の床面近傍部分の部分拡大断面図である。
【図９】本発明の第４実施形態による排水システムを備えた洗面用水栓装置の斜視図である。
【図１０】図９のＸ−Ｘ線に沿って見た洗面用水栓装置の洗面ボウルの床面近傍部分の部分拡大断面図である。
【図１１】本発明の第１実施形態による排水システムの変形例の構造を概略的に示す概略断面図である。
【発明を実施するための形態】
【００１３】
以下では、本明細書に開示する本発明の実施の形態について、図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００１４】
以下、添付図面を参照して本発明の第１実施形態による排水システムについて説明する。
図１は本発明の第１実施形態による排水システムを正面から見た正面図であり、図２は図１のＩＩ−ＩＩ線に沿って見た断面図であり、図３は本発明の第１実施形態による排水システムの構造を概略的に示すブロック図である。
図１及び図２に示すように、本発明の第１実施形態による排水システム１は、キッチン２に設けられ、超音波洗浄を行うシステムである。排水システム１は、水を排水する他のシステムに適用することができる。
【００１５】
排水システム１は、キッチン２に設けられた水受け部であるシンク４と、このシンク４に水（湯水）を吐水する供給装置であるキッチン用水栓装置（吐水部）６と、シンク４の底部４ａから下方に延びる封水形成部８とを備えている。
シンク４は水受け部として機能する。シンク４は、キッチン用水栓装置６から吐水された水を下流側に排出するように形成される。
キッチン用水栓装置６は、上流側において、給水源（図示せず）から水が供給される水給水路１０及び、湯が供給される湯給水路１２に接続される。キッチン用水栓装置６は、湯水混合部である湯水混合栓６ａを備え、水給水路１０からの水と、湯給水路１２からの湯とを湯水混合栓６ａにおいて混合し、吐水部６ｂから吐水させる。水給水路１０及び湯給水路１２は、一旦上昇して湯水混合栓６ａに接続され、湯水混合栓６ａの下流側の吐水側流路６ｃが湯水混合栓６ａから下方側に延び、後述する流量センサ２０を通り、吐水部６ｂまで再び上昇して延びている。吐水部６ｂは、水をシンク４の上方の空間に吐水する。キッチン用水栓装置６は、シンク４を介して、封水形成部８に水を供給する。
【００１６】
図２に示すように、封水形成部８は、シンク４の下流側に設けられると共に封水を形成するように構成される。封水形成部８は、シンク４側に開口される入口部１４と、入口部１４の下流側に設けられる排水トラップ流路１６とを備えている。入口部１４は、底部４ａの一部が底面４ｂよりも下方に窪むことにより形成されている。
【００１７】
排水トラップ流路１６は、入口部１４の下方に接続される接続部１６ａと、排水トラップを形成するように下流側に向けて斜め上方に上昇する上昇部１６ｂと、上昇部１６ｂと下降部１６ｄとの間における折り返し部分である頂部１６ｃと、頂部１６ｃから下降する下降部１６ｄとを備えている。下降部１６ｄは出口流路１８と接続される。排水トラップ流路１６は、トラップ形状の流路を形成し、その頂部１６ｃにより封水水位Ｗ０を規定する。封水形成部８は、封水形成部８内に水が流入する場合には頂部１６ｃを超える水が下流側に排出されるので、封水形成部８内に水が流入する場合に封水形成部８内の水位を封水水位Ｗ０に維持させようとするように形成される。
【００１８】
封水形成部８内に流入する水には、洗剤、食器の汚れ、シンクの汚れ等のいずれかを含むような水、例えば生活排水も含まれる。出口流路１８は、下降部１６ｄから鉛直方向下方に延びている。出口流路１８は、さらに下流側の排水配管（図示せず）に接続される。出口流路１８は、その一部が封水形成部８によって形成されていてもよい。
【００１９】
排水システム１は、さらに、キッチン用水栓装置６から吐水される水を検知する検知部である流量センサ２０と、封水形成部８内の水に超音波を発振する超音波発振器２２と、超音波発振器２２の作動を制御する制御装置２４と、封水形成部８内の流路上に設けられ且つ網目を有する網かご２６と、網かご２６の下方に設けられる封水筒２８とを備えている。
【００２０】
流量センサ２０は、キッチン用水栓装置６の湯水混合栓６ａよりも下流側に設けられ、且つ湯水混合栓６ａと吐水部６ｂとの間の供給流路内に設けられる。流量センサ２０は、キッチン用水栓装置６の吐水部６ｂから吐水される水の単位時間あたりの流量を検知できる。また、流量センサ２０は、単位時間あたりの流量を検知することにより、吐水部６ｂから吐水がなされることを検知できる。よって、流量センサ２０は、キッチン用水栓装置６から供給される水流を検知し、キッチン用水栓装置６からの水の供給を検知できる。流量センサ２０は、制御装置２４と電気的に接続されている。
【００２１】
流量センサ２０は、封水形成部８から汚れを含む水が流れ込まないように縁切りされた位置に配置される。本発明において「縁切りされた」とは、汚れを含む水が流れ込まないようにされた状態をいい、物体や空間によって流水が遮断された状態になっていることをいう。本実施形態においては、封水形成部８側の水が逆流しないように縁切りするために、吐水部６ｂとシンク４及び封水形成部８との間に、空間Ｂが形成されている。よって、仮に封水形成部８から水が逆流したとしても、水がシンク４から吐水部６ｂに到達して流量センサ２０まで到達しないように流路が構成されている。流量センサ２０は、縁切りされた位置に配置されるので、装置の信頼性及び耐久性が高められると共に、キッチン用水栓装置６の吐水が行われていない状態で鍋等から液体が封水形成部８に供給される場合に超音波発振器２２が作動することを防ぐことができる。
【００２２】
変形例として流量センサ２０は、供給流路上に設けられる電磁弁等の電気的に駆動される弁であってもよい。このとき電気的に駆動される弁は制御装置２４と電気的に接続され、制御信号を受けて流路を開閉する。電気的に駆動される弁が開状態となった場合に、電気的に駆動される弁が供給装置からの水の供給を検知することができる。
【００２３】
再び本実施形態において、超音波発振器２２は、封水形成部８内の入口部１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００２４】
制御装置２４は、ＣＰＵ及びメモリ等を内蔵し、流量センサ２０から送信される検知信号を受信する機能を有すると共にメモリに記憶された所定の制御プログラム等に基づいて超音波発振器２２の動作を制御する。制御装置２４は、超音波発振器２２による超音波の発振及び発振の停止を制御する。制御装置２４は、流量センサ２０による吐水される水の検知と連動して、超音波発振器２２による発振を開始させる超音波洗浄モードを備え、この超音波洗浄モードにより、キッチン用水栓装置６からの吐水の開始と超音波洗浄の開始とを連動させることができる。このとき、キッチン用水栓装置６からの吐水の開始に起因して超音波洗浄が開始される。
【００２５】
網かご２６は、封水形成部８の上流側部分に配置されている。網かご２６は、入口部１４の下方側の流路全体を覆うように形成される。網かご２６は、底部４ａの下方に窪んだ窪みの内部に配置される。網かご２６の上端は入口部１４に配置されている。網かご２６は、水を通過させる一方、ごみ等の小物体を通過させずに網かご２６内に留めるようになっている。
封水筒２８は、筒状に形成され、網かご２６の下部近傍からさらに下方の封水形成部８の底部近傍まで延びている。
【００２６】
次に、図２乃至図４により、上述した本発明の第１実施形態による排水システムの動作（作用）を説明する。
図４は本発明の第１実施形態による排水システムにおける制御内容を示すフローチャートである。図４において、Ｓは各ステップを示している。
【００２７】
図４に示すように、処理のスタート時において、キッチン用水栓装置６は、吐水がなされる前の待機状態となっている。封水形成部８内においては水が封水水位Ｗ０（図２参照）に貯留された状態となっている。
最初に、Ｓ１において、制御装置２４は、流量センサ２０によるキッチン用水栓装置６からの水の供給の検知がなされたか否かを判定する。
流量センサ２０による水の供給の検知がなされた場合には、制御装置２４は、キッチン用水栓装置６の吐水部６ｂからの吐水が開始されたと判断できるので、Ｓ２に進む。
流量センサ２０による水の供給の検知がなされていない場合には、制御装置２４は、キッチン用水栓装置６の吐水部６ｂからの吐水が終了した又は停止状態のままであると判断できるので、Ｓ７に進む。
【００２８】
次に、Ｓ２において、制御装置２４は、流量センサ２０による水の検知の開始から検知状態のまま所定時間Ｔが経過したか否かを判定する。
水の検知の開始から検知状態のまま所定時間Ｔが経過した場合には、制御装置２４は、吐水部６ｂから吐水された水が封水形成部８に到達し、封水形成部８に水が流入しながら封水形成部８をより効果的に洗浄できる状態となったと判断できるので、Ｓ３に進む。制御装置２４は、流量センサ２０による吐水される水の検知開始から検知状態のまま所定時間Ｔ継続している場合に、超音波発振器２２による発振を開始させるため、Ｓ３に進んでいる。
水の検知の開始から検知状態のまま所定時間Ｔが経過していない場合には、制御装置２４は、吐水部６ｂから吐水された水が封水形成部８に到達しておらず、封水形成部８には未だ水が流入していない状態であると判断できるので、Ｓ１に戻る。
【００２９】
次に、Ｓ３において、制御装置２４は、流量センサ２０による水の検知の開始から所定水量Ａ以上の水が吐水されたか否かを判定する。
水の検知の開始から所定水量Ａ以上の水が吐水された場合には、制御装置２４は、封水形成部８に供給される水の水量が所定水量Ａ以上となっているので、封水形成部８に水を供給しながら超音波洗浄を効果的に行える状態となっており、さらに、超音波洗浄により封水形成部８から剥がれた汚れが封水形成部に再付着することを抑制できると判断できるので、Ｓ４に進む。
水の検知の開始から所定水量Ａ以上の水が吐水されていない場合には、制御装置２４は、封水形成部８に供給される水の水量が所定水量Ａ未満であるので、封水形成部８に水を供給しながら超音波洗浄を効果的に行えるほどまでは水が供給されていない状態であると判断できるので、Ｓ１に戻る。
なお、制御装置２４は、Ｓ２とＳ３の処理を、Ｓ３を先に行うように逆の順番で行ってもよい。
【００３０】
次に、Ｓ４において、制御装置２４は、水の検知の開始から流量センサ２０により吐水される水が検知されている間のうち所定期間である所定期間Ｕが経過していないか否かを判定する。
所定期間Ｕが経過していない場合には、超音波発振器２２の連続的な作動による耐久性の低下が比較的小さく且つ超音波発振器２２による超音波の発振により超音波洗浄を効果的に行えると判断できるので、Ｓ６に進む。Ｓ４においては、既にＳ６を経由した処理が実行されていることにより超音波発振器２２による超音波の発振が開始されている場合には、所定期間Ｕまでは超音波の発振が継続されることになる。
水の検知の開始から所定期間Ｕが経過している場合には、超音波発振器２２の作動を停止して、超音波発振器２２の連続的な作動による耐久性の低下を防ぐことが有効であると判断できるので、Ｓ５に進む。
【００３１】
次に、Ｓ５において、制御装置２４は、水の検知の開始から所定期間Ｕが経過するような連続的な使用においては、超音波発振器２２の連続的な作動による耐久性の低下を防ぐため、超音波発振器２２による超音波の発振を停止させる又は停止させたままとする。制御装置２４は、Ｓ５の実行後、Ｓ１に戻る。
【００３２】
次に、Ｓ６において、制御装置２４は、超音波発振器２２により超音波を発振させる。制御装置２４は、続いて、Ｓ１に戻る。制御装置２４は、流量センサ２０による水の検知がなされ且つ所定期間Ｕが経過するまでは、Ｓ１、Ｓ２、Ｓ３、Ｓ４及びＳ６の判定及び処理を繰り返している。制御装置２４は、流量センサ２０による水の検知がなされた状態で所定期間Ｕが経過すると、Ｓ１、Ｓ２、Ｓ３、Ｓ４及びＳ５の判定及び処理を繰り返し、超音波の発振を停止させている。
【００３３】
Ｓ１においてキッチン用水栓装置６からの吐水が終了されると、Ｓ７に進む。
Ｓ７において、制御装置２４は、超音波発振器２２により超音波が発振されているか否かを判定する。
超音波発振器２２により超音波が発振されている場合には、制御装置２４は、キッチン用水栓装置６からの吐水の停止に伴い、超音波発振器２２の耐久性を低下させにくくするため、超音波発振器２２を停止させることが有効であると判断できるので、Ｓ８に進む。
超音波発振器２２により超音波が発振されていない場合には、制御装置２４は、キッチン用水栓装置６からの吐水が停止されており、超音波発振器２２も停止された待機状態であると判断できるので、リターンに進み、Ｓ１に戻る。
【００３４】
次に、Ｓ８において、制御装置２４は、超音波発振器２２による超音波の発振を停止させる。制御装置２４は、Ｓ８の実行後、リターンに進み、Ｓ１に戻る。
【００３５】
次に本発明の第１実施形態の変形例について、図１１を用いて説明する。
図１１は本発明の第１実施形態による排水システムの変形例の構造を概略的に示す概略断面図である。
本変形例は、封水形成部８への水の供給について、上述のキッチン用水栓装置６とは別に、さらに封水形成部８への専用の水の供給流路としての給水流路を有する点において相違し、その他の点については共通する。
【００３６】
図１１に示すように、排水システム１は、さらに、湯及び／又は水を供給する給水部５と、給水部５からシンク４の底部まで延び、封水形成部８へ水を供給する給水流路７と、給水流路７を開閉する弁９とを有している。給水部５は、水給水路１０に接続されていてもよく、又は他の給水源（図示せず）に接続されていてもよい。給水流路７には、給水部５から封水形成部８に向けて、弁９と流量センサ２０とがこの順に設けられている。弁９と流量センサ２０とは、制御装置２４によって制御される。給水流路７の下流端はシンク４の壁面に接続され、水をシンク４の底部４ａに向けて吐水する吐水口部７ａを形成している。吐水口部７ａは、シンク４の底部４ａよりも高い位置に設けられることにより底部４ａ及び封水形成部８と縁切りされた状態であり、封水形成部８の汚れを含む水が給水流路７から流量センサ２０まで流れることが防止される。よって、流量センサ２０は、封水形成部８から水が流れ込まないように縁切りされた位置に配置される。このように、封水形成部８と給水流路７とが縁切りされるため、給水流路７において逆流を防止するためのバキュームブレーカの配置を不要とすることができる。
【００３７】
制御装置２４からの指示により弁９が開くと、給水部５より封水形成部８へ向けて水の供給が開始され、矢印Ｆに示すように、水が吐水口部７ａから封水形成部８へ向けて空中に流れ出る。検知部２０がこの水を検知することにより、制御装置２４は超音波発振器２２の発振を開始させ、超音波洗浄を開始させる。
【００３８】
上述した本発明の第１実施形態による排水システム１によれば、流量センサ２０は、封水形成部８から水が流れ込まないように縁切りされた位置に配置される。これにより、流量センサ２０に封水形成部８からの水が付着することにより検知部が汚れることを抑制することができ、流量センサ２０の検知の信頼性を向上させることができる。
【００３９】
また、本発明の第１実施形態による排水システム１によれば、流量センサ２０は、単位時間あたりの水の流量を検知する流量センサであるので、封水形成部８に供給される水の流量を検知して、超音波発振器２２を作動することができる。よって、供給される水の流量が低い場合に超音波発振器２２の無駄な発振を抑制することができると共に、比較的シンプルな構成によりキッチン用水栓装置６からの水の供給を検知することができる。
【００４０】
本発明の発明者らは、鋭意研究することにより、排水システム１において、洗浄性能を向上させるため、超音波発振器２２を少しでも効果的に長い時間にわたって作動させること、及び、超音波発振器２２の耐久性を向上させるため、超音波発振器２２の作動時間をできるだけ短く抑制することを両立させることを検討した。
本発明の第１実施形態による排水システム１によれば、流量センサ２０は、封水形成部８から水が流れ込まないように縁切りされた位置に配置されるので、キッチン用水栓装置６から供給された水が封水形成部８に到達するまでに時間差ができる。流量センサ２０の検知後すぐに超音波発振器２２を作動させたとしても、時間差中にキッチン用水栓装置６からの吐水が終了すると、汚れを排水することができないままとなり、超音波洗浄を実行したにも関わらず汚れが封水形成部８に再付着し、超音波洗浄性能が低下するおそれがある。本発明によれば、超音波発振器２２の無駄な発振作動を防ぎ、洗浄性能の向上と超音波発振器２２の耐久性の向上とを両立させることができる。
【００４１】
さらに、本発明の第１実施形態による排水システム１によれば、制御装置２４は、流量センサ２０による吐水される水の検知開始から所定水量以上の水が吐水される場合に、超音波発振器２２による発振を開始させるので、供給される水の水量が所定水量未満であることにより、超音波洗浄を行って落とした汚れが、封水形成部８から排出されにくく、封水形成部８内に再付着し、超音波洗浄性能が低下することを抑制することができる。また、洗浄性能が比較的低い状態で洗浄を行ってしまうことにより超音波発振器２２を無駄に作動させ超音波発振器２２の耐久性を低下させることを抑制することができる。
【００４２】
さらに、本発明の第１実施形態による排水システム１によれば、流量センサ２０は、キッチン用水栓装置６の湯水混合栓６ａよりも下流側に設けられる。これにより、流量センサ２０は、湯水混合栓６ａよりも下流側の封水形成部８に供給される流量を比較的正確に検出することができる。よって、超音波発振器２２の発振を適切に行い、超音波発振器２２の無駄な発振を抑制して、超音波発振器２２の耐久性を向上させることができる。
【００４３】
次に、図５及び図６により、本発明の第２実施形態による排水システムを説明する。第２実施形態は、本発明による排水システムを浴室の洗い場床に適用した例である。図５は本発明の第２実施形態による排水システムを備えた浴室の斜視図である。図６は図５のＶＩ−ＶＩ線に沿って見た浴室の床面近傍部分の部分拡大断面図である。
【００４４】
第２実施形態による排水システム１０１は、上述した第１実施形態による排水システム１と基本構造が類似しているため、本発明の第２実施形態の第１実施形態とは異なる点のみを説明し、同様な部分については図面に同じ参照符号を付して説明を省略する。本発明の第２実施形態による排水システム１０１の動作（作用）については、第１実施形態による排水システム１の動作（作用）と同様であるので説明を省略する。
【００４５】
排水システム１０１は、浴室１０２に設けられた水受け部である洗い場床１０４と、浴室１０２に設けられた水受け部である浴槽１０５と、洗い場床１０４に水（湯水）を吐水する供給装置である洗い場側水栓装置１０６と、浴槽１０５に水（湯水）を吐水する供給装置であるシャワー水栓装置１０７と、浴槽１０５に水（湯水）を吐水する供給装置である浴槽側水栓装置１０９と、洗い場床１０４の底部１０４ａから下方に延びる封水形成部１０８とを備えている。洗い場床１０４は、洗い場側水栓装置１０６及び／又はシャワー水栓装置１０７から吐水された水を下流側に排出するように形成される。
【００４６】
洗い場側水栓装置１０６及びシャワー水栓装置１０７は、上流側において、給水源（図示せず）から水が供給される水給水路１０及び、湯が供給される湯給水路１２に接続される。洗い場側水栓装置１０６及びシャワー水栓装置１０７は、湯水混合部である湯水混合栓６ａを備え、水給水路１０からの水と、湯給水路１２からの湯とを湯水混合栓６ａにおいて混合し、吐水部１０６ｂ、１０７ｂから吐水させる。水給水路１０及び湯給水路１２は、湯水混合栓６ａに接続され、吐水側流路６ｃが湯水混合栓６ａから下方側に延び、後述する流量センサ２０を通り、吐水部１０６ｂ、１０７ｂまで延びている。吐水部１０６ｂ、１０７ｂは、ぞれぞれ、水を洗い場床１０４の上方の空間に吐水する。洗い場側水栓装置１０６、シャワー水栓装置１０７は、それぞれ、洗い場床１０４を介して、封水形成部１０８に水を供給する。
【００４７】
図６に示すように、封水形成部１０８は、洗い場床１０４の下流側に設けられると共に封水を形成するように構成される。封水形成部１０８は、洗い場床１０４側に開口される入口部１１４と、入口部１１４の下流側に設けられる排水トラップ流路１１６とを備えている。入口部１１４は、底部１０４ａの一部が下方に窪むことにより形成されている。
【００４８】
排水トラップ流路１１６は、入口部１１４の下方に接続される接続部１１６ａと、排水トラップを形成するように下流側に向けて斜め上方に上昇する上昇部１１６ｂと、上昇部１１６ｂと下降部１１６ｄとの間における折り返し部分である頂部１１６ｃと、頂部１１６ｃから下降する下降部１１６ｄとを備えている。下降部１１６ｄは出口流路１１８と接続される。排水トラップ流路１１６は、トラップ形状の流路を形成し、その頂部１１６ｃにより封水水位Ｗ０を規定する。封水形成部１０８は、封水形成部１０８内に水が流入する場合には頂部１１６ｃを超える水が下流側に排出されるので、封水形成部１０８内に水が流入する場合に封水形成部１０８内の水位を封水水位Ｗ０に維持させようとするように形成される。
【００４９】
封水形成部１０８内に流入する水には、洗剤、シャンプー、ボディーソープ、体の汚れ、毛髪、洗い場の汚れ等のいずれかを含むような水、例えば生活排水も含まれる。出口流路１１８は、下降部１１６ｄから横向きに延びている。出口流路１１８は、さらに下流側の排水配管（図示せず）に接続される。出口流路１１８は、その一部が封水形成部１０８によって形成されていてもよい。
【００５０】
排水システム１０１は、さらに、洗い場側水栓装置１０６及び／又はシャワー水栓装置１０７から吐水される水を検知する検知部である流量センサ２０と、封水形成部１０８内の水に超音波を発振する超音波発振器２２と、超音波発振器２２の作動を制御する制御装置２４と、封水形成部１０８内の流路上に設けられ且つ網目を有する網かご（図示せず）と、網かご（図示せず）の下方に設けられる封水筒２８とを備えている。
【００５１】
流量センサ２０は、洗い場側水栓装置１０６及び／又はシャワー水栓装置１０７の湯水混合栓６ａよりも下流側に設けられ、湯水混合栓６ａと吐水部１０６ｂとの間に設けられる。流量センサ２０は、洗い場側水栓装置１０６及び／又はシャワー水栓装置１０７の吐水部１０６ｂ、１０７ｂから吐水される水の単位時間あたりの流量を検知できる。また、流量センサ２０は、単位時間あたりの流量を検知することにより、吐水部１０６ｂ、１０７ｂから吐水がなされることを検知できる。よって、流量センサ２０は、洗い場側水栓装置１０６及び／又はシャワー水栓装置１０７から供給される水流を検知し、洗い場側水栓装置１０６及び／又はシャワー水栓装置１０７からの水の供給を検知できる。流量センサ２０は、制御装置２４と電気的に接続されている。
【００５２】
流量センサ２０は、封水形成部１０８から水が流れ込まないように縁切りされた位置に配置される。縁切りとは封水形成部１０８側の水が流れ込まないようにされていることをいう。封水形成部１０８側の水が逆流しないように縁切りするために、吐水部１０６ｂ及び／又は吐水部１０７ｂと、洗い場床１０４及び封水形成部１０８との間に、空間Ｂが形成されている。よって、仮に封水形成部１０８から水が逆流したとしても、水が洗い場床１０４から吐水部１０６ｂに到達して流量センサ２０まで到達しないように流路が構成されている。
【００５３】
超音波発振器２２は、封水形成部１０８内の入口部１１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００５４】
制御装置２４は、超音波洗浄モードにより、洗い場側水栓装置１０６及び／又はシャワー水栓装置１０７からの吐水の開始と超音波洗浄の開始とを連動させることができる。
【００５５】
網かご（図示せず）は、封水形成部１０８の上流側部分に配置されている。網かご（図示せず）は、入口部１１４の下方側の流路全体を覆うように形成される。網かご（図示せず）の上端は入口部１１４に配置されている。網かご（図示せず）は、水を通過させる一方、ごみ等の小物体を通過させずに内部に留めるようになっている。
【００５６】
上述した本発明の第２実施形態による排水システム１０１によれば、流量センサ２０は、封水形成部１０８から水が流れ込まないように縁切りされた位置に配置される。これにより、流量センサ２０に封水形成部１０８からの水が付着することにより検知部が汚れることを抑制することができ、流量センサ２０の検知の信頼性を向上させることができる。
【００５７】
次に、図７及び図８により、本発明の第３実施形態による排水システムを説明する。第３実施形態は、本発明による排水システムを浴室の浴槽に適用した例である。図７は本発明の第３実施形態による排水システムを備えた浴室の斜視図である。図８は図７のＶＩＩＩ−ＶＩＩＩ線に沿って見た浴室の浴槽の床面近傍部分の部分拡大断面図である。
【００５８】
第３実施形態による排水システム２０１は、上述した第２実施形態による排水システム１０１とほぼ同様の構造を有する部分があるため、本発明の第３実施形態の第２実施形態とは異なる点のみを説明し、同様な部分については図面に同じ参照符号を付して説明を省略する。本発明の第３実施形態による排水システム２０１の動作（作用）については、第１実施形態による排水システム１の動作（作用）と同様であるので説明を省略する。
【００５９】
排水システム２０１は、浴槽１０５の底部１０５ａから下方に延びる封水形成部２０８を備えている。浴槽１０５は、洗い場側水栓装置１０６及び／又はシャワー水栓装置１０７から吐水された水を下流側に排出するように形成される。
【００６０】
浴槽側水栓装置１０９は、上流側において、給水源（図示せず）から水が供給される水給水路１０及び、湯が供給される湯給水路１２に接続される。浴槽側水栓装置１０９は、湯水混合部である湯水混合栓６ａを備え、水給水路１０からの水と、湯給水路１２からの湯とを湯水混合栓６ａにおいて混合し、浴槽１０５に吐水する吐水部２０６ｂから吐水させる。水給水路１０及び湯給水路１２は、湯水混合栓６ａに接続され、吐水側流路６ｃが湯水混合栓６ａから延び、後述する流量センサ２０を通り、吐水部２０６ｂまで延びている。浴槽側水栓装置１０９の吐水部２０６ｂ及びシャワー水栓装置１０７の吐水部１０７ｂは、水を浴槽１０５の上方の空間に吐水する。浴槽側水栓装置１０９、シャワー水栓装置１０７は、それぞれ、浴槽１０５を介して、封水形成部２０８に水を供給する。
【００６１】
図８に示すように、封水形成部２０８は、浴槽１０５の下流側に設けられると共に封水を形成するように構成される。封水形成部２０８は、浴槽１０５側に開口される入口部２１４と、入口部２１４の下流側に設けられる排水トラップ流路２１６とを備えている。入口部２１４は、底部１０５ａの一部が下方に窪むことにより形成されている。
【００６２】
排水トラップ流路２１６は、入口部２１４の下方に接続される接続部２１６ａと、排水トラップを形成するように下流側に向けて斜め上方に上昇する上昇部２１６ｂと、上昇部２１６ｂと下降部２１６ｄとの間における折り返し部分である頂部２１６ｃと、頂部２１６ｃから下降する下降部２１６ｄとを備えている。下降部２１６ｄは出口流路１１８と接続される。排水トラップ流路２１６は、トラップ形状の流路を形成し、その頂部２１６ｃにより封水水位Ｗ０を規定する。封水形成部２０８は、封水形成部２０８内に水が流入する場合には頂部２１６ｃを超える水が下流側に排出されるので、封水形成部２０８内に水が流入する場合に封水形成部２０８内の水位を封水水位Ｗ０に維持させようとするように形成される。
【００６３】
封水形成部２０８内に流入する水には、洗剤、シャンプー、ボディーソープ、体の汚れ、毛髪、浴槽の汚れ等のいずれかを含むような水、例えば生活排水も含まれる。出口流路１１８は、下降部２１６ｄから横向きに延びている。出口流路１１８は、さらに下流側の排水配管（図示せず）に接続される。出口流路１１８は、その一部が封水形成部２０８によって形成されていてもよい。
【００６４】
排水システム２０１は、さらに、封水形成部２０８内の水に超音波を発振する超音波発振器２２２と、超音波発振器２２２の作動を制御する制御装置２４と、封水形成部２０８内の流路上に設けられ且つ網目を有する網かご（図示せず）を備えている。
【００６５】
流量センサ２０は、シャワー水栓装置１０７及び／又は浴槽側水栓装置１０９の湯水混合栓６ａよりも下流側に設けられ、湯水混合栓６ａと吐水部１０７ｂ及び／又は吐水部２０６ｂとの間に設けられる。流量センサ２０は、シャワー水栓装置１０７及び／又は浴槽側水栓装置１０９の吐水部１０７ｂ、２０６ｂから吐水される水の単位時間あたりの流量を検知できる。また、流量センサ２０は、単位時間あたりの流量を検知することにより、吐水部１０７ｂ、２０６ｂから吐水がなされることを検知できる。よって、流量センサ２０は、シャワー水栓装置１０７及び／又は浴槽側水栓装置１０９から供給される水流を検知し、シャワー水栓装置１０７及び／又は浴槽側水栓装置１０９からの水の供給を検知できる。流量センサ２０は、制御装置２４と電気的に接続されている。
【００６６】
流量センサ２０は、封水形成部２０８から水が流れ込まないように縁切りされた位置に配置される。縁切りとは封水形成部２０８側の水が流れ込まないようにされていることをいう。封水形成部２０８側の水が逆流しないように縁切りするために、吐水部１０７ｂ及び／又は吐水部２０６ｂと、浴槽１０５及び封水形成部２０８との間に、空間Ｂが形成されている。よって、仮に封水形成部２０８から水が逆流したとしても、水が浴槽１０５から吐水部１０７ｂ及び／又は吐水部２０６ｂに到達して流量センサ２０まで到達しないように流路が構成されている。
【００６７】
超音波発振器２２２は、封水形成部２０８内の入口部２１４の下方に設けられている。超音波発振器２２２は、封水水位Ｗ０より下方に配置される。超音波発振器２２２は、上方に向けて超音波を発振するように配置されている。超音波発振器２２２は、発振中の発振周波数を一定に維持している。超音波発振器２２２は、制御装置２４と電気的に接続されている。なお、超音波発振器２２は、封水形成部１０８内の入口部１４の下方に設けられている。超音波発振器２２及び超音波発振器２２２が設けられることにより、封水形成部２０８がより効果的に超音波洗浄されるが、超音波発振器２２又は超音波発振器２２２の配置によっても封水形成部２０８は効果的に超音波洗浄される。よって、超音波発振器２２又は超音波発振器２２２のみが封水形成部２０８内に配置されていてもよい。また、超音波発振器２２２の位置は入口部２１４の下方に限られず、入口部２１４の下方から上昇部２１６ｂまでのいずれかの位置とすることができる。
【００６８】
制御装置２４は、超音波洗浄モードにより、シャワー水栓装置１０７及び／又は浴槽側水栓装置１０９からの吐水の開始と超音波洗浄の開始とを連動させることができる。
【００６９】
網かご（図示せず）は、封水形成部２０８の上流側部分に配置されている。網かご（図示せず）は、入口部２１４の下方側の流路全体を覆うように形成される。網かご（図示せず）の上端は入口部２１４に配置されている。網かご（図示せず）は、水を通過させる一方、ごみ等の小物体を通過させずに内部に留めるようになっている。
【００７０】
上述した本発明の第３実施形態による排水システム２０１によれば、流量センサ２０は、封水形成部２０８から水が流れ込まないように縁切りされた位置に配置される。これにより、流量センサ２０に封水形成部２０８からの水が付着することにより検知部が汚れることを抑制することができ、これにより流量センサ２０の検知の信頼性を向上させることができる。
【００７１】
次に、図９及び図１０により、本発明の第４実施形態による排水システムを説明する。第４実施形態は、本発明による排水システムを洗面用水栓装置の洗面ボウルに適用した例である。図９は本発明の第４実施形態による排水システムを備えた洗面用水栓装置の斜視図である。図１０は図９のＸ−Ｘ線に沿って見た洗面用水栓装置の洗面ボウルの床面近傍部分の部分拡大断面図である。
【００７２】
第４実施形態による排水システム３０１は、上述した第１実施形態による排水システム１と基本構造が類似しているため、本発明の第４実施形態につき第１実施形態とは異なる点のみを説明し、同様な部分については図面に同じ参照符号を付して説明を省略する。本発明の第４実施形態による排水システム３０１の動作（作用）については、第１実施形態による排水システム１の動作（作用）と同様であるので説明を省略する。
【００７３】
排水システム３０１は、洗面化粧台３０２に設けられた水受け部である洗面ボウル３０４と、洗面ボウル３０４に水（湯水）を吐水する供給装置である洗面用水栓装置３０６と、洗面ボウル３０４の底部３０４ａから下方に延びる封水形成部３０８とを備えている。洗面ボウル３０４は、洗面化粧台用のボウルに限られず、手洗いができる程度の大きさの手洗いボウルを含む。洗面ボウル３０４は、洗面用水栓装置３０６から吐水された水を下流側に排出するように形成される。
【００７４】
洗面用水栓装置３０６は、上流側において、給水源（図示せず）から水が供給される水給水路１０及び、湯が供給される湯給水路１２に接続される。洗面用水栓装置３０６は、湯水混合部である湯水混合栓６ａを備え、水給水路１０からの水と、湯給水路１２からの湯とを湯水混合栓６ａにおいて混合し、吐水部３０６ｂから吐水させる。水給水路１０及び湯給水路１２は、湯水混合栓６ａに接続され、吐水側流路６ｃが湯水混合栓６ａから後述する流量センサ２０を通り、吐水部３０６ｂまで延びている。吐水部３０６ｂは、水を洗面ボウル３０４の上方の空間に吐水する。洗面用水栓装置３０６は、洗面ボウル３０４を介して、封水形成部３０８に水を供給する。
【００７５】
図１０に示すように、封水形成部３０８は、洗面ボウル３０４の下流側に設けられると共に封水を形成するように構成される。封水形成部３０８は、洗面ボウル３０４側に開口される入口部３１４と、入口部３１４の下流側に設けられる排水トラップ流路３１６とを備えている。入口部３１４は、底部３０４ａの一部が下方に窪むことにより形成されている。
【００７６】
排水トラップ流路３１６は、入口部３１４の下方に接続される接続部３１６ａと、排水トラップを形成するように下流側に向けて斜め上方に上昇する上昇部３１６ｂと、上昇部３１６ｂと下降部３１６ｄとの間における折り返し部分である頂部３１６ｃと、頂部３１６ｃから下降する下降部３１６ｄとを備えている。下降部３１６ｄは出口流路３１８と接続される。排水トラップ流路３１６は、トラップ形状の流路を形成し、その頂部３１６ｃにより封水水位Ｗ０を規定する。封水形成部３０８は、封水形成部３０８内に水が流入する場合には頂部３１６ｃを超える水が下流側に排出されるので、封水形成部３０８内に水が流入する場合に封水形成部３０８内の水位を封水水位Ｗ０に維持させようとするように形成される。
【００７７】
封水形成部３０８内に流入する水には、洗剤、シャンプー、ボディーソープ、石鹸、手洗いの汚れ、洗面ボウルの汚れ等のいずれかを含むような水、例えば生活排水も含まれる。出口流路３１８は、下降部３１６ｄから下向きに延びている。出口流路３１８は、さらに下流側の排水配管（図示せず）に接続される。出口流路３１８は、その一部が封水形成部３０８によって形成されていてもよい。
【００７８】
排水システム３０１は、さらに、洗面用水栓装置３０６から吐水される水を検知する検知部である流量センサ２０と、封水形成部３０８内の水に超音波を発振する超音波発振器２２と、超音波発振器２２の作動を制御する制御装置２４と、封水形成部３０８内の流路上に設けられ且つ網目を有する網かご（図示せず）を備えている。
【００７９】
流量センサ２０は、洗面用水栓装置３０６の湯水混合栓６ａよりも下流側に設けられ、湯水混合栓６ａと吐水部６ｂとの間に設けられる。流量センサ２０は、洗面用水栓装置３０６の吐水部３０６ｂから吐水される水の単位時間あたりの流量を検知できる。また、流量センサ２０は、単位時間あたりの流量を検知することにより、吐水部３０６ｂから吐水がなされることを検知できる。よって、流量センサ２０は、洗面用水栓装置３０６から供給される水流を検知し、洗面用水栓装置３０６からの水の供給を検知できる。流量センサ２０は、制御装置２４と電気的に接続されている。
【００８０】
流量センサ２０は、封水形成部３０８から水が流れ込まないように縁切りされた位置に配置される。縁切りとは封水形成部３０８側の水が流れ込まないようにされていることをいう。封水形成部３０８側の水が逆流しないように縁切りするために、吐水部３０６ｂと、洗面ボウル３０４及び封水形成部３０８との間に、空間Ｂが形成されている。よって、仮に封水形成部３０８から水が逆流したとしても、水が洗面ボウル３０４から吐水部３０６ｂに到達して流量センサ２０まで到達しないように流路が構成されている。
【００８１】
超音波発振器２２は、封水形成部３０８内の入口部３１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００８２】
制御装置２４は、超音波洗浄モードにより、洗面用水栓装置３０６からの吐水の開始と超音波洗浄の開始とを連動させることができる。
【００８３】
網かご（図示せず）は、封水形成部３０８の上流側部分に配置されている。網かご（図示せず）は、入口部３１４の下方側の流路全体を覆うように形成される。網かご（図示せず）の上端は入口部３１４に配置されている。網かご（図示せず）は、水を通過させる一方、ごみ等の小物体を通過させずに内部に留めるようになっている。
【００８４】
上述した本発明の第４実施形態による排水システム３０１によれば、流量センサ２０は、封水形成部３０８から水が流れ込まないように縁切りされた位置に配置される。これにより、流量センサ２０に封水形成部３０８からの水が付着することにより検知部が汚れることを抑制することができ、これにより流量センサ２０の検知の信頼性を向上させることができる。
【符号の説明】
【００８５】
１        排水システム
８        封水形成部
２０      流量センサ
２２      超音波発振器
２４      制御装置
１０１    排水システム
１０８    封水形成部
２０１    排水システム
２０８    封水形成部
２２２    超音波発振器
３０１    排水システム
３０８    封水形成部
Ａ        所定水量
Ｔ        所定時間
Ｕ        所定期間
【図１】
2020051041.tif 000003
【図２】
2020051041.tif 000004
【図３】
2020051041.tif 000005
【図４】
2020051041.tif 000006
【図５】
2020051041.tif 000007
【図６】
2020051041.tif 000008
【図７】
2020051041.tif 000009
【図８】
2020051041.tif 000010
【図９】
2020051041.tif 000011
【図１０】
2020051041.tif 000012
【図１１】
2020051041.tif 000013